(57)【要約】      （修正有）【課題】ブラジャーとシュミーズとを取り外し可能に結合した婦人下着を提供する。【解決手段】胸部を覆うブラジャー部とシュミーズ部と取り外し可能に結合した婦人用下着。【選択図】図１
0003129715.tif 000002
【実用新案登録請求の範囲】
【請求項１】
胸部を覆うブラジャー部とシュミーズ部と取り外し可能に結合したことを特徴とする婦人用下着。
【請求項２】
前記シュミーズ部の前記ブラジャー部との取り付け部分が伸縮可能な部材より構成されていることを特徴とする請求項１に記載の婦人用下着。
【請求項３】
前記シュミーズ部が筒状であることを特徴とする請求項１または請求項２に記載の婦人用下着。
【請求項４】
前記シュミーズ部が左右に開く構造であって、前記ブラジャー部の取り外し部と前記シュミーズ部の左右に開く位置とを一致させて取り外し可能に結合したことを特徴とする請求項１または請求項２に記載の婦人用下着。
【考案の詳細な説明】
【技術分野】
【０００１】  本発明は、ブラジャーとシュミーズとを取り外し可能に結合した婦人下着に関する。
【背景技術】
【０００２】  従来、ブラジャーとシュミーズあるいはキャミソールは、互いに別々の下着として利用するのが一般的であった。
しかし肩を露出するアウターの衣類を着用する際には、シュミーズ或いはキャミソールは肩紐部分が見えてしまうため着用不可能であった。しかし本発明によって提供される婦人用下着を着用すれば、下着の肩紐のストラップ部分を外してもブラジャー部分のワイヤーによって胴部以下の布部分が固定されているので着用可能である。この下着を着用することにより胴部や尻部及び脚部からの汗汚れが直接アウターを汚す事を軽減する事が出来る。更にアウターに着用した衣類と身体の間に発生する静電気も本発明により提供される婦人用下着を着用する事によって防ぐことが出来る。
一方、ブラジャーとシュミーズあるいはキャミソールを一体に固定した下着も提案されている。
しかし腹部を露出するローライズのボトムスを着用する際には、ブラジャーとシュミーズあるいはキャミソールが一体に固定されている下着は着用不可能となる。しかし本発明により提供される婦人用下着は、ブラジャー以外の部分が必要ない場合は、簡単に取り外しが出来るので、腹部を露出するアウターの際にも着用可能である。
【考案の開示】
【考案が解決しようとする課題】
【０００３】  本発明は、ブラジャーとシュミーズとを取り外し可能に結合した婦人下着に提供することを課題とする。
【課題を解決する為の手段】
【０００４】  本発明の上記課題は、下記の手段により解決された。
＜１＞  胸部を覆うブラジャー部とシュミーズ部と取り外し可能に結合したことを特徴とする婦人用下着。
＜２＞  前記シュミーズ部の前記ブラジャー部との取り付け部分が伸縮可能な部材より構成されていることを特徴とする＜１＞に記載の婦人用下着。
＜３＞  前記シュミーズ部が筒状であることを特徴とする＜１＞または＜２＞に記載の婦人用下着。
＜４＞  前記シュミーズ部が左右に開く構造であって、前記ブラジャー部の取り外し部と前記シュミーズ部の左右に開く位置とを一致させて取り外し可能に結合したことを特徴とする＜１＞または＜２＞に記載の婦人用下着。
【考案の効果】
【０００５】  本発明により、種々のアウターに合わせて多様に組合せることが可能なブラジャーとシュミーズとを取り外し可能に結合した婦人下着が提供される。
【考案を実施するための最良の形態】
【０００６】  本発明の請求項１記載の婦人用下着は、胸部を覆うブラジャー部と、該ブラジャー部の下部に設けられかつ胴部、腹部、尻部、脚部を覆う布部を備えたことを特徴とし、これにより胴部、腹部、尻部、脚部からの発汗による汗汚れがアウターの衣類に付くことを防ぎ、更にスカートを着用時に静電気により脚にスカートが纏わり付くことを防ぐ効果をもたらす。本発明の請求項２記載の婦人用下着は、請求項１記載の婦人下着において、前記胴部、腹部、尻部、脚部を覆う布部の長さはアウターに着用する衣類の用途に応じて選択する事が出来、着用の都度布部を選択して胸部を覆うブラジャー部に取り付ける事により、より多くの衣類に対応可能な婦人用下着を提供するものとする。本請求項３記載の婦人下着は、請求項１又は２記載の婦人下着において、前記ブラジャー部と前記胴部、腹部、尻部、脚部を覆う布部はとは一体形成されていてもよく、よりアウターの衣類に合わせて形状を合わせる事を可能にする為に取り外しが可能に形成されていても良い。本請求項４記載の婦人下着は、請求項１及び２又は３記載の婦人下着において、前記ブラジャー部分と前記胴部、腹部、尻部、脚部を覆う布部の接続方法は、本婦人用下着の着脱時の簡便性を高める為に、ブラジャーのホックの位置により異なる場合がある。前記胸部のブラジャーを着用する際のホックの位置が背中側にある際には、胴部、腹部、尻部、脚部を覆う布部の切れ目の部分も背中側となる。そうすることにより本婦人用下着を着用する際には、胴部、腹部、尻部、脚部を覆う布部があっても邪魔にならず通常のブラジャーを着用する手順で着脱する事が可能となる。一方、前記胸部のブラジャーを着用する際のホックの位置が前方（フロントホック）にある場合には、胴部、腹部、尻部、脚部を覆う布部の切れ目の部分も前方となる。但し、前記胴部、腹部、尻部、脚部用布部は前記ブラジャーとの接続部分に伸縮性を持たせる事により着脱しやすくし、前記布部に切れ目をなくした筒状の物とする場合もある。
【実施の形態】
【０００７】図１は本発明の婦人下着の一実施例を示す図であり、１がブラジャー部、２が前記ブラジャー部の下部に設けられた胴部、腹部、尻部、脚部を覆う布部である。ブラジャー部１は従来から使用されているブラジャーと同一の構成のものを用いる事が可能である。ブラジャー部と胴部、腹部、尻部、脚部を覆う布部の接続部３は簡単に取り外しが出来る様にホック、ボタン、チャック、マジックテープ、リボンなどの紐状のものでつなぎとめるなどの方法をとる。また、ブラジャー部１と布部２を縫合して一体形成する場合もある。図２の場合はブラジャー部がフロントホックのものであり、この場合は着脱の簡易性を重視して前記布部の切れ目は前側となる。図３の様にブラジャー部と布部の接続部に伸縮性を持たせ、切れ目の無い布部を使用する場合もある。胴部、腹部、尻部、脚部を覆う布部は略式四角形状の布の場合がある。または切れ目となる辺の下方の角の部分がカーブするなど、デザインによって変化するものとする。（図２を参照）
【０００８】該胴部、腹部、尻部、脚部を覆う布部の大きさはアウターの形状によって異なってくるが、縦の丈が２５ｃｍ〜（腹部を覆う程度の長さ）５０ｃｍ（膝を覆う程度の長さ）程度までとなるが、必要に応じて長さは変化するものとする。（ロングスカートが流行したら更に長い丈のものも作られる）。図４はブラジャー部１と該胴部、腹部、尻部、脚部を覆う布部２の接続部分の断面図である。ブラジャー部１の下方の表面部にホック、ボタン、マジックテープ等の接続用器具を数個固定し、該胴部、腹部、部、脚部を覆う布部２のブラジャーと接する側にブラジャー部１に取り付けた接続用器具と呼応する様に固定する。接続部の上部には図４のＡで示したような飾りで接続部を目立たなくする様にしてもよい。（Ａは無くても構わない）更に図４のＢの部分（布部２のブラジャーとの接続部分）は伸縮性のある素材を使うか内部にゴムや紐、リボン等で横幅を調節できる物を通し体の幅にフィットするようにする。或いは図５のようにチャックで接続したり図６の様に紐状のもの（リボンやレース）をブラジャー部と布部に通して接続する方法も考えられる。
【考案の効果】
【０００９】以上詳細に説明したように、本発明の婦人下着によれば、これまで肩を露出する衣類を身につける時には不可能であった胴部からの発汗による汗を吸収する事ができるため、衣類が発汗により汚れることを軽減できる。また、アウターに着る衣類に合わせてブラジャーとシュミーズまたはキャミソール部分を取り外しできるので、一つの下着でありながら様々な着まわしが可能となった。
【図面の簡単な説明】
【００１０】
【図１】  本考案の婦人用下着の一例を示す概略図である。
【図２】  本考案の婦人用下着の一例を示す概略図である。
【図３】  本考案の伸縮可能な取り付け部材の一例を示す概略図である。
【図４】  本考案の婦人用下着の接続部分の断面図の一例を示す概略図である
【図５】  本考案の婦人用下着の接続部分の断面図の一例を示す概略図である
【図６】  本考案の婦人用下着の一例を示す概略図である
【符号の説明】
【００１１】１：ブラジャー部
２：シュミーズ部
３：シュミーズ部のブラジャー部への取り付け部
【図１】
0003129715.tif 000003
【図２】
0003129715.tif 000004
【図３】
0003129715.tif 000005
【図４】
0003129715.tif 000006
【図５】
0003129715.tif 000007
【図６】
0003129715.tif 000008
【手続補正書】
【提出日】平成18年11月20日(2006.11.20)
【手続補正１】
【補正対象書類名】明細書
【補正対象項目名】０００７
【補正方法】変更
【補正の内容】
【０００７】該胴部、腹部、尻部、脚部を覆う布部の大きさはアウターの形状によって異なってくるが、縦の丈が２５ｃｍ〜（腹部を覆う程度の長さ）５０ｃｍ（膝を覆う程度の長さ）程度までとなるが、必要に応じて長さは変化するものとする。（ロングスカートが流行したら更に長い丈のものも作られる）。図４はブラジャー部１と該胴部、腹部、尻部、脚部を覆う布部２の接続部分の断面図である。ブラジャー部１の下方の表面部にホック、ボタン、「マジックテープ（登録商標）」等の接続用器具を数個固定し、該胴部、腹部、部、脚部を覆う布部２のブラジャーと接する側にブラジャー部１に取り付けた接続用器具と呼応する様に固定する。接続部の上部には図４のＡで示したような飾りで接続部を目立たなくする様にしてもよい。（Ａは無くても構わない）更に図４のＢの部分（布部２のブラジャーとの接続部分）は伸縮性のある素材を使うか内部にゴムや紐、リボン等で横幅を調節できる物を通し体の幅にフィットするようにする。或いは図５のようにチャックで接続したり図６の様に紐状のもの（リボンやレース）をブラジャー部と布部に通して接続する方法も考えられる。